(57)【要約】【課題】電気回路の検査工数に多くの時間がかかり２工程を必要とした。このような問題点を解決するもので、検査工数を合理化することができる電気回路の検査装置を提供することを目的とするものである。【解決手段】信号発生器６とチューナ１との間に信号伝達部１２を設けこの信号伝達部１２は電源供給端子４ａから供給される信号に基づいて信号発生器６の出力をチューナ１の信号入力端子２に供給されるものである。これにより検査工数の合理化を図ることができる。【選択図】  図１
2004170234.tif 000002
【特許請求の範囲】
【請求項１】
電源入力端子と、この電源入力端子に入力された電源が供給される電源供給端子を有する被測定物に検査信号を供給する信号発生器と、前記被検査物に接続された測定器と、前記被検査物の電源入力端子に電源を供給する電源を有し前記信号発生器と前記被検査物との間に信号伝達部を設け、この信号伝達部は前記電源供給端子から供給される信号に基づいて前記信号発生器の出力を前記被検査物の信号入力端子に供給する電気回路の検査装置。
【請求項２】
被検査物では電源供給端子の信号を信号入力端子に供給するとともに、前記信号伝達部では、前記信号伝達部の出力とグランドとの間にリレーを設け、このリレーの接点で前記信号発生器と前記信号入力端子との間をオン・オフする請求項１に記載の電気回路の検査装置。
【請求項３】
リレーと連動する表示手段が設けられた請求項２に記載の電気回路の検査装置。
【請求項４】
信号伝達部の出力とリレーのコイルとの間にレギュレータが挿入された請求項２に記載の電気回路の検査装置。
【請求項５】
信号伝達部の入力と出力との間にコンデンサを挿入するとともに前記信号伝達部の出力とリレーのコイルとの間にインダクタンスが挿入された請求項２に記載の電気回路の検査装置。
【発明の詳細な説明】
【０００１】
【発明の属する技術分野】
本発明は、電気回路の検査をする電気回路の検査装置に関するものである。
【０００２】
【従来の技術】
以下、従来の電気回路の検査装置について説明する。従来の電気回路の検査装置は図３、図４に示すようなものであった。即ち図３において、１はチューナ（被検査物の一例として用いた）であり、２はこのチューナ１に設けられた信号入力端子であり、約５０ＭＨｚから９００ＭＨｚの高周波信号が入力される。また、３は電源であり、この電源３の出力がチューナ１に設けられた電源入力端子４に接続され、この電源入力端子４の信号が、コイルを介して、電源供給端子４ａへ供給されていた。そして、この電源供給端子４ａの出力が、電圧計５に接続されたものであった。
【０００３】
このように接続された電気回路検査装置において、電源３をオンすることにより、その電源が電源入力端子４と信号入力端子２を介して電圧計５に供給される。このことにより、電源入力端子４と信号入力端子２との間が確実に接続されていることを検査するものであった。
【０００４】
次に、チューナ１の内部回路の特性検査について説明する。図４において、６は信号発生器であり、この信号発生器６はチューナ１の信号入力端子２に接続される。一方チューナ１の出力１３は、スペクトラムアナライザ８（測定器の一例として用いた）に接続されている。
【０００５】
以上のように接続された電気回路の検査装置において、信号発生器６からの高周波信号をチューナ１に入力することにより、このチューナ１内の各回路によってこの高周波信号が処理され、このチューナ１の出力信号である中間周波数信号がスペクトラムアナライザ８に現れるものであった。それで、このスペクトラムアナライザ８の出力結果に基づいてチューナ１が良品かあるいは不良品かを検査していた。
【０００６】
なお、この出願の発明に関連する先行技術文献情報としては、例えば、特許文献１が知られている。
【０００７】
【特許文献１】
特開平５−３７９６７号公報
【０００８】
【発明が解決しようとする課題】
しかしながらこのような構成では図３に示すように、まず、電源３の電源を入れて、電源入力端子４と信号入力端子２との間を検査する必要があった。そしてそれに続いて、図４に示すように信号入力端子２に信号発生器６を接続して出力端子１３からの出力信号をスペクトラムアナライザ８で見ながら、チューナ１の特性検査をする必要があった。
【０００９】
つまりこれらの回路の検査には２つの工程が必要であった。そこで、本発明はこのような問題点を解決するもので、検査工数を合理化することができる電気回路の検査装置を提供することを目的としたものである。
【００１０】
【課題を解決するための手段】
この目的を達成するために本発明の電気回路の検査装置は信号発生器と被検査物との間に信号伝達部を設けこの信号伝達部では前記電源供給端子から供給される信号に基づいて前記信号発生器の出力を前記被検査物の信号入力端子に供給する構成としたものである。これにより検査工数の合理化を図ることができる。
【００１１】
【発明の実施の形態】
本発明の請求項１に記載の発明は、電源入力端子とこの電源入力端子に入力された電源が供給される電源供給端子を有する被測定物に検査信号を供給する信号発生器と、前記被検査物に接続された測定器と、前記被検査物の電源入力端子に電源を供給する電源を有し前記信号発生器と前記被検査物との間に信号伝達部を設け、この信号伝達部は前記電源供給端子から供給される信号に基づいて前記信号発生器の出力を前記被検査物の信号入力端子に供給する電気回路の検査装置であり、このように信号伝達部を用いて電源入力端子と信号入力端子との導通を検査すると共に、信号発生器の信号を被検査物に供給することができるので、これらの検査を同一の工程で検査することができ、検査工数の合理化を図ることができる。
【００１２】
請求項２に記載の発明における被検査物では、電源供給端子の信号を信号入力端子に供給するとともに、前記信号伝達部では、前記信号伝達部の出力とグランドとの間にリレーを設け、このリレーの接点で前記信号発生器と前記信号入力端子との間をオン・オフする請求項１に記載の電気回路の検査装置であり、このように電源供給端子の信号を信号入力端子の信号へ重畳したチューナに対しても、電源入力端子と信号入力端子との導通を検査すると共に、信号発生器の信号を被検査物に供給することができるので、これらの検査を同一の工程で検査することができ、検査工数の合理化を図ることができる。
【００１３】
また、信号入力端子への信号と電源供給端子の信号とを重畳しているので、信号伝達部と被検査物との間の信号は１本ですむ。
【００１４】
さらに、信号伝達部にはリレーの接点を使用しているので信号のロスが少ない。さらに、リレーを使っているのである程度の電力を有した信号の検査をすることができる。
【００１５】
請求項３に記載の発明はリレーと連動する表示手段が設けられた請求項２に記載の電気回路の検査装置であり、これにより目視によって容易に電源入力端子と電源供給端子との導通を検査することができる。また、表示手段を設けているのでたとえ騒音の大きい場所においても検査することができる。
【００１６】
請求項４に記載の発明は信号伝達部の出力とリレーのコイルとの間にレギュレータが挿入された請求項２に記載の電気回路の検査装置であり、たとえ被検査物からの電圧が変わってもレギュレータを内蔵しているので、容易にその電圧に対応することができる。
【００１７】
請求項５に記載の発明は信号伝達部の入力と出力との間にコンデンサを挿入するとともに前記信号伝達部の出力とリレーのコイルとの間にインダクタンスが挿入された請求項２に記載の電気回路の検査装置であり、リレーの接点とレギュレータの間にインダクタンスを挿入してあるので信号がロスしないで被検査物に伝達することができる。
【００１８】
（実施の形態１）
以下、本発明の実施の形態について図面を用いて説明する。図１は本発明の電気回路の検査装置である。１は、チューナ（被検査物の一例として用いた）である。２はこのチューナ１に設けられた信号入力端子である。又、３は電源であり、この電源の出力信号が電源入力端子４へ接続される。そしてこの電源入力端子４に供給された信号は、コイルを介してチューナ１に設けられた電源供給端子４ａへ接続される。なお、電源３は、チューナ１の電源端子１１へも電源を供給している。
【００１９】
一方、６は信号発生器でありこの信号発生器は信号伝達部１２を介してチューナ１の信号入力端子２に接続されている。なお、この信号入力端子には約５０ＭＨｚから９００ＭＨｚの高周波信号が入力されるものである。ここで、８はスペクトラムアナライザ（測定器の一例として用いた）であり、チューナ１の出力端子１３に接続されている。
【００２０】
次に、信号伝達部１２の詳細について説明する。１４は信号伝達部１２の高周波信号入力端子であり、１５ａは信号伝達部１２の出力端子である。高周波信号入力端子１４と出力端子１５ａとの間にはリレー１９の接点２０が挿入されている。
【００２１】
一方、信号伝達部１２に設けられた入力端子１５ｂには、電源供給端子４ａからの出力が接続されている。この入力端子１５ｂにはコイル（インダクターの一例として用いる）が接続されている。そして、コイル２１を介してレギュレータ２２が接続され、このレギュレータ２２の出力とグランドの間にはリレー１９のコイル２３が接続されている。又コイル２３と並列に保護ダイオード２４が接続されている。又、コイル２３とグランドとの間には約１キロオームの抵抗２５と発光ダイオード２６が直列に接続されている。これにより、電源入力端子４と電源供給端子４ａ間が接続されている場合に、発光ダイオード２６へ電流が供給され、この発光ダイオード２６が発光するので、容易にＯＫかＮＧかの判定を行うことができる。なお、レギュレータ２２の入力及び出力とグランドの間にはそれぞれ電解コンデンサ２７と２８が接続されている。
【００２２】
以上のように構成された電気回路の検査装置において次にその動作を説明する。まず、電源３を動作させると、この電源３から出力された電流はチューナ１のコイルを介して、電源供給端子４ａに出力される。そしてこれにより、その電流が信号伝達回路１２の入力端子１５ｂへ入力され、リレー１９を働かせ、信号発生器６の信号をチューナ１へ供給することになる。つまり、入力端子１５ｂへ入力された電流によって、リレー１９のコイル２３に電流が流れ、リレー１９のスイッチ２０が閉じる。そうすることにより、信号発生器６の信号がリレー１９のスイッチ２０を介してチューナ１の信号入力端子２に供給され、スペクトラムアナライザ８にチューナ１の出力が出力されチューナ１の特性検査ができることになる。
【００２３】
これにより、電源入力端子４へ電流を供給してやれば、自動的に信号入力端子２と電源供給端子４ａとの間の導通の検査をすることができる。そして、それと共に電源３から供給される電流でリレー１９が動作するので、信号発生器６からの高周波信号をチューナ１が受けることができる。このように従来２工程要していたものが１工程の検査でできるので、検査工程の合理化を図ることができる。
【００２４】
なお、リレー１９は高周波用の接点を持ったリレーを用いているので、高周波ロスを少なくすることができる。また、発光ダイオード２６を用いているので目視で検査することもできる。なお、本実施の形態１においては発光ダイオード２６を用いたが、これは例えばスピーカなどを用いておけば音声でそれを知ることが可能である。
【００２５】
更に、本装置信号伝達部１２はレギュレータ２２を用いているのでチューナ１に供給する電圧がそのチューナ１の種類によって９Ｖとか１２Ｖとか異なる電圧であったとしても同一の信号伝達部１２で対応することができる。
【００２６】
（実施の形態２）
以下、本発明の実施の形態２について図面を用いて説明する。図２は本発明の電気回路の検査装置である。図２において、図１と同じものについては、同じ番号を付し、その説明を簡略化する。
【００２７】
本実施の形態２は、チューナ１の内部で電源供給端子４ａを信号入力端子２へ接続したものである。信号伝達部１２の詳細について説明する。１４は信号伝達部１２の高周波信号入力端子であり、１５は信号伝達部１２の入出力端子である。高周波信号入力端子１４と入出力端子１５との間には、直流カット用のコンデンサ１６がリレー１９の接点２０を介して接続され、このリレー接点２０の出力にはコイル（インダクターの一例として用いる）に接続される。
【００２８】
そして、このコイルの出力とグランドの間にはレギュレータ２２とリレー１９のコイル２３との直列接続体が挿入されるとともに、このコイル２３には保護ダイオード２４がこのコイル２３と並列に接続されている。また、このコイル２３の入力とグランドとの間には約１キロオームの抵抗２５と発光ダイオード２６との直列接続体が挿入されている。なお、レギュレータ２２の入力及び出力とグランドの間にはそれぞれ電解コンデンサ２７と２８が接続され、レギュレータの電圧を安定化させている。
【００２９】
以上のように構成された電気回路の検査装置において次にその動作を説明する。まず、電源３を動作させると、この電源３から出力された電流はチューナ１のコイルと電源供給端子４ａを介して、信号入力端子２に出力される。そしてこれにより、その電流が信号伝達回路１２の入出力端子１５へ入力され、リレー１９を働かせ、信号発生器６の信号をチューナ１へ供給することになる。
【００３０】
つまり、入出力端子１５へ入力された電流によって、リレー１９のコイル２３に電流が流れ、リレー１９のスイッチ２０が閉じる。そうすることにより、信号発生器６の信号がリレー１９のスイッチ２０を介してチューナ１の信号入力端子２に供給されることになる。なお、信号伝達回路１２には直流カット用のコンデンサ１６が設けられているので、入出力端子１５へ入力された電流は、高周波入力端子１４へ出力されることはない。
【００３１】
以上の構成によって、本実施の形態２のように電源供給端子の信号を信号入力端子の信号へ重畳したチューナに対しても、電源入力端子４へ電流を供給してやれば、自動的に信号入力端子２と電源供給端子４ａとの間の導通の検査をすることができる。そして、それと共に電源３から供給される電流でリレー１９が動作するので、信号発生器６からの高周波信号をチューナ１が受けることができる。このように従来２工程要していたものが１工程の検査でできるので、検査工程の合理化を図ることができる。
【００３２】
なお、リレー１９は高周波用の接点を持ったリレーを用いているので、高周波ロスを少なくすることができる。また、発光ダイオード２６を用いているので目視で検査することもできる。
【００３３】
また、信号入力端子への信号と電源供給端子の信号とを重畳しているので、信号伝達部と被検査物との間の信号は１本ですむ。リレーの接点２０とレギュレータ２２の間にコイル２１が挿入されているので高周波信号がロスしないで、チューナに伝達することができる。ただし、このコイル２１とコンデンサ２７による共振周波数は、信号発生器６からの信号の帯域外となるようにすることが重要である。これにより高周波信号は入出力端子１５から確実に出力され、一方、直流カット用コンデンサ１６が入力１４と接点２０との間に挿入されているので、電源入力端子に供給された電流は確実にコイル２３や、発光ダイオード２６へ供給されることとなり、リレー１９を動作させることができるとともに、発光ダイード２６を発光させることができる。
【００３４】
【発明の効果】
以上のように本発明によれば、電源入力端子と、この電源入力端子に入力された電源が供給される電源供給端子を有する被測定物に検査信号を供給する信号発生器と、前記被検査物に接続された測定器と、前記被検査物の電源入力端子に電源を供給する電源を有し前記信号発生器と前記被検査物との間に信号伝達部を設け、この信号伝達部は前記電源供給端子から供給される信号に基づいて前記信号発生器の出力を前記被検査物の信号入力端子に供給する電気回路の検査装置であり、このように信号伝達部を用いて電源入力端子と信号入力端子との導通を検査すると共に信号発生器の信号を被検査物に供給することができるので、これらの検査を同一の工程で検査することができ、検査工数の合理化を図ることができる効果がある。
【図面の簡単な説明】
【図１】本発明の実施の形態１における電気回路の検査装置のブロック図
【図２】本発明の実施の形態２における電気回路の検査装置のブロック図
【図３】従来の電気回路の検査装置における第１のブロック図
【図４】同、第２のブロック図
【符号の説明】
１  チューナ
２  信号入力端子
３  電源
４  電源入力端子
４ａ  電源供給端子
６  信号発生器
８  測定器
１２  信号伝達部
１９  リレー
２０  接点
【図１】
2004170234.tif 000003
【図２】
2004170234.tif 000004
【図３】
2004170234.tif 000005
【図４】
2004170234.tif 000006